(57)【要約】      （修正有）【課題】通常は、従来から幼稚園、小学校などに備わっている運動遊戯設備として使用でき災害時には避難施設として使用できる災害時避難施設を提供する。【解決手段】グランドＧに設置され内部空間を有する施設本体１０の外面に、プールおよびボルタリングからなる児童用運動遊戯設備を設けた。そして、施設本体１０の内部空間に防水性を有する収容室２０を設けた。また、施設本体１０を浮体で構成して、グランドＧに水が溜まったときには、施設本体１０がグランドＧから離脱して水面ＷＬに浮遊できるようにした。【選択図】図８
2015214299.tif 000002
【特許請求の範囲】
【請求項１】
内部空間を有する施設本体と、
前記施設本体の外面に設けられた児童用運動遊戯設備と、
前記施設本体の内部空間に設けられた防水性を有する収容室とを備えたことを特徴とする災害時避難施設。
【請求項２】
前記施設本体は、地盤に設置され、前記地盤上に水が溜まったときには、地盤から離脱して水面に浮遊できる浮体からなっている請求項１に記載の災害時避難施設。
【請求項３】
前記施設本体の底面の下方にバラストタンクが形成されている請求項１または２に記載の災害時避難施設。
【請求項４】
地盤に設置用凹部が形成され、前記設置用凹部に前記バラストタンクを収容させて前記施設本体が地盤に設置されている請求項３に記載の災害時避難施設。
【請求項５】
前記児童用運動遊戯設備に、前記施設本体の上面に設置された収容凹部と、前記収容凹部に収容された流下可能物からなる流下可能物収容設備が含まれている請求項１ないし４のうちのいずれか一つに記載の災害時避難施設。
【請求項６】
前記施設本体の底面の下方にバラストタンクが形成されており、前記収容凹部と前記バラストタンクを連通する排出通路と、前記排出通路を開閉する開閉手段が備わっている請求項５に記載の災害時避難施設。
【請求項７】
前記流下可能物収容設備が、プールである請求項５または６に記載の災害時避難施設。
【請求項８】
前記児童用運動遊戯設備に、前記施設本体の側面に設置された昇降運動のための昇降設備が含まれている請求項１ないし７のうちのいずれか一つに記載の災害時避難施設。
【請求項９】
前記施設本体の下部側に係留索が設けられている請求項１ないし８のうちのいずれか一つに記載の災害時避難施設。
【請求項１０】
前記係留索の先端部が地盤に固定されている請求項９に記載の災害時避難施設。
【請求項１１】
前記施設本体の下部側と前記地盤を接続する係留索が複数備わっており、前記複数の係留索のうちの少なくとも２つが、交差している請求項１０に記載の災害時避難施設。
【請求項１２】
前記施設本体が繊維強化プラスチックで形成されている請求項１ないし１１のうちのいずれか一つに記載の災害時避難施設。
【発明の詳細な説明】
【技術分野】
【０００１】
本発明は、通常は児童の運動および遊戯のための設備として使用され、災害時には緊急避難施設として利用できる災害時避難施設に関する。
【背景技術】
【０００２】
平成２３年３月１１の東日本大震災以降、防災意識が高まり、地震や津波への対策として耐震性に優れた建造物や人を非難させるための災害時避難施設の建設が活発に行われている。これらの災害時避難施設の中に、通常は一般的な目的で使用しながら、被災時には避難所として利用できる災害時避難施設がある（例えば、特許文献１）。この災害時避難施設（浮遊式水害避難施設）は、地盤に固定され、外部からの入水が可能になった防波・防護壁を備えた基礎プールの上面に、スライドボール方式の免震機構を介して船舶型の浮体を載置して構成されており、この浮体は、伸縮自在のアンカー型固定装置で地盤に固定されている。また、浮体は、医療センター、公共施設および商業施設等の多目的に使用でき、防災センター、ヘリポート等も備えている。
【先行技術文献】
【特許文献】
【０００３】
【特許文献１】特開２０１４−１９１８８号公報
【発明の開示】
【０００４】
しかしながら、前述した災害時避難施設は、大型の施設になるとともに、新たな場所に設置しなければならないという問題がある。被災時には、種々の人の状況に合わせてそれぞれ身近で避難できる場所が必要になる。例えば、幼稚園、小学校など児童が多い所には、遠い避難所でなく、敷地内に避難できる災害時避難施設があることが好ましいが、敷地内に、櫓式の避難施設など通常は使用しない災害時避難施設を設置することは、景観を損ねるとともに、児童に精神的な圧迫を与える原因になる。
【０００５】
本発明は、前述した問題に対処するためになされたもので、その目的は、通常は、従来から幼稚園、小学校などに備わっている運動遊戯設備として使用でき災害時には避難施設として使用できる災害時避難施設を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
上記の目的を達成するため、本発明に係る災害時避難施設（Ａ，Ａ’，Ｂ）の構成上の特徴は、内部空間を有する施設本体（１０，５０）と、施設本体の外面（１０ｂ，１０ｃ，５０ｂ，５０ｃ）に設けられた児童用運動遊戯設備（１６）と、施設本体の内部空間に設けられた防水性を有する収容室（２０，５１）とを備えたことにある。
【０００７】
本発明に係る災害時避難施設では、内部空間を有する施設本体の外面に児童用運動遊戯設備を設け、施設本体の内部空間に収容室を設けている。このため、通常は、一般に、幼稚園、小学校などのグランドに設置されている児童用運動遊戯設備を施設本体の外面に設けて、この児童用運動遊戯設備を用いて児童が運動したり遊戯したりすることができる。この場合の児童用運動遊戯設備としては、プール、砂場、滑り台、鉄棒および、ボルタリングやロープを用いた昇降運動のための設備などとすることができる。
【０００８】
そして、施設本体の内部には防水性を有する収容室が設けられているため、被災時には、収容室に児童、職員等の人が避難することができる。本発明によると、災害時避難施設を別途設ける必要はなく、日常的に使用される児童用運動遊戯設備を災害時に避難施設として利用できる。この災害時避難施設は、幼稚園、小学校などの敷地内に設置されるため、災害時には、短時間のうちに、避難することができる。特に、災害時避難施設を建物に隣接させた場合には、建物から一旦グランドに出ることなく、建物の窓、避難口等から直接災害時避難施設の収容室内に避難することもできる。また、収容室の防水性は、特に、出入口および窓の周縁部などに要求されるものである。なお、収容室は、被災時に身体の安全を守る場所として使用できる他、被災時以外のときに、遊戯、読書等の目的で使用することもできる。
【０００９】
本発明に係る災害時避難施設の他の構成上の特徴は、施設本体は、地盤（Ｇ）に設置され、地盤上に水が溜まったときには、地盤から離脱して水面（ＷＬ）に浮遊できる浮体からなっていることにある。本発明によると、災害が、津波、堤防やダムの決壊などの水害である場合に、施設本体は、地盤から離脱して水面に浮遊する。このため、施設本体が水圧で押し潰されたり、水流で破壊されたりすることがなくなり、避難者の安全が確保される。
【００１０】
本発明に係る災害時避難施設のさらに他の構成上の特徴は、施設本体の底面（１０ａ）の下方にバラストタンク（３０，５２）が形成されていることにある。バラストタンクには、水、土、砂などの液体や粒体からなる流下可能物が充填される。これによって、施設本体の重心が低くなって安定性が増すようになる。このバラストタンクは、特に、施設本体を浮体で構成し、水面に浮遊できるようにした場合に有効である。
【００１１】
本発明に係る災害時避難施設のさらに他の構成上の特徴は、地盤に設置用凹部（３２）が形成され、設置用凹部にバラストタンクを収容させて施設本体が地盤に設置されていることにある。本発明によると、施設本体の高さが必要以上に高くなって、グランドにいる児童に圧迫感を生じさせたり、児童用運動遊戯設備で運動や遊戯をする児童に恐怖感を生じさせたりすることを防止できるとともに、バラストタンクが見えることによって災害時避難施設の美観を損ねることも防止できる。また、バラストタンクが地中に位置することにより施設本体の位置が低くなるため、施設本体内の収容室への避難者の出入りが容易になる。
【００１２】
本発明に係る災害時避難施設のさらに他の構成上の特徴は、児童用運動遊戯設備に、施設本体の上面に設置された収容凹部（１４，５７ａ）と、収容凹部に収容された流下可能物（１７ｂ，５７ｂ）からなる流下可能物収容設備が含まれていることにある。この場合の流下可能物は、水、砂、土などであり、流下可能物収容設備はプールや砂場などである。本発明では、傾斜面上では流れてしまう流下可能物を備えた流下可能物収容設備を施設本体の上面に設置しているため、流下可能物を安定して保持できるとともに、流下可能物収容設備の大きさを児童が運動したり、遊戯したりするための適度な大きさにすることができる。
【００１３】
本発明に係る災害時避難施設のさらに他の構成上の特徴は、施設本体の底面の下方にバラストタンクが形成されており、収容凹部とバラストタンクを連通する排出通路（３１，５３）と、排出通路を開閉する開閉手段が備わっていることにある。
【００１４】
本発明によると、通常はバラストタンク内を空にしておき、開閉手段の作動により、排出通路が開いて収容凹部内の流下可能物がバラストタンク内に流下するようにできる。このため、通常は、収容凹部に収容されて児童の運動や遊戯に利用される流下可能物を、災害時には、施設本体を安定させるための重りとして利用できる。また、収容室の床と天井の間に筒状の柱を設け、この柱の内部を排出通路として利用してもよい。開閉手段は、所定の装置の作動により開閉する開閉弁を備えた機構で構成することができ、例えば、手動でスイッチを操作することにより開閉弁を開閉する手段、震度検出器が所定の震度を検出したときに開閉弁が開く手段、施設本体が上昇したことを上下位置検出器が検出したときに開閉弁が開く手段などを用いることができる。
【００１５】
本発明に係る災害時避難施設のさらに他の構成上の特徴は、流下可能物収容設備が、プール（１７）であることにある。幼稚園、小学校、特に、小学校の殆どにプールが備わっているため、プールを児童用運動遊戯設備として災害時避難施設に含ませて、通常は水泳に使用し、災害時には収容室を避難施設として利用することはより好ましい。
【００１６】
本発明に係る災害時避難施設のさらに他の構成上の特徴は、児童用運動遊戯設備に、施設本体の側面に設置された昇降運動のための昇降設備（１８）が含まれていることにある。この場合の昇降設備は、ボルタリング、滑り台、上端部が施設本体の上部に固定されたロープなどとすることができる。本発明によると、施設本体の側面を有効利用することができる。
【００１７】
本発明に係る災害時避難施設のさらに他の構成上の特徴は、施設本体の下部側に係留索（３４，４４）が設けられていることにある。この場合、係留索の先端部が地盤に固定されていることが好ましい。本発明によると、施設本体に位置ずれが生じることを防止できる。また、係留索を伸縮可能にすることもでき、これによると、水害により施設本体が地盤から離脱したときに、水面の高さが高くなっても、施設本体は水上に浮遊できる。なお、施設本体の下方にバラストタンクが設けられている場合には、バラストタンクも施設本体の下部側に含まれるものとする。
【００１８】
本発明に係る災害時避難施設のさらに他の構成上の特徴は、施設本体の下部側と地盤を接続する係留索が複数備わっており、複数の係留索のうちの少なくとも２つが、交差していることにある。
【００１９】
この場合、施設本体の前部と地盤を接続する係留索と施設本体の後部と地盤を接続する係留索が交差し、施設本体の右側部と地盤を接続する係留索と施設本体の左側部と地盤を接続する係留索が交差していることが好ましい。本発明によると、水害により施設本体が地盤から離脱して水面に浮遊して、施設本体が搖動しようとすると、交差する２つの係留索のうちの一方が緩んだときには他方が緊張して施設本体が一方に移動することを防止し、他方が緩んだときには一方が緊張して施設本体が他方に移動することを防止する。このため、施設本体が大きく搖動したり、一定の範囲を超えて移動したりすることを防止できる。
【００２０】
本発明に係る災害時避難施設のさらに他の構成上の特徴は、施設本体が繊維強化プラスチックで形成されていることにある。本発明によると、施設本体を軽量で、高強度を有する構造に形成することができる。また、水害の際には、水面に浮遊しやすくなる。
【図面の簡単な説明】
【００２１】
【図１】本発明の第１実施形態に係る災害時避難施設を示した斜視図である。
【図２】災害時避難施設の内部を上方から見た状態を示した平面図である。
【図３】災害時避難施設を示した断面図である。
【図４】係留装置を示しており、（ａ）は要部の平面図、（ｂ）は弾性係留索の断面図である。
【図５】児童用運動遊戯設備を使用している状態を示した断面図である。
【図６】収容室内に人が避難した状態の災害時避難施設を示した断面図である。
【図７】プールの水がバラストタンク内に流下した状態の災害時避難施設を示した断面図である。
【図８】被災時に施設本体が水面に浮遊した状態を示した断面図である。
【図９】変形例係る災害時避難施設の浮体部分が災害時に水面に浮遊した状態を示した概略図である。
【図１０】本発明の第２実施形態に係る災害時避難施設を示した概略図である。
【図１１】第２実施形態に係る災害時避難施設の浮体部分が災害時に水面に浮遊した状態を示した概略図である。
【発明を実施するための形態】
【００２２】
（第１実施形態）
以下、本発明の第１実施形態を図面を用いて説明する。図１ないし図３は、本実施形態に係る災害時避難施設Ａを示している。この災害時避難施設Ａは、幼稚園のグランドＧにおける園舎（図示せず）の近傍に設置されて、通常は児童Ｃ（図５−８参照）が運動したり遊戯をしたりするための設備として使用され、災害時には避難施設として使用されるものである。なお、以下の災害時避難施設Ａの説明では、前後、左右および上下の各方向は、図１に基づいたものとし、図１の前方斜め右側を前側、後方斜め左側を後側とし、前方斜め左側を左側、後方斜め右側を右側とする。災害時避難施設Ａは、施設本体１０と、施設本体１０の外面に設けられた児童用運動遊戯設備１６と、施設本体１０の内部に設けられた収容室２０を備えている。また、施設本体１０の下方側にはバラストタンク３０と係留装置３４（図４（ａ），（ｂ）参照）が設けられている。
【００２３】
施設本体１０は、ＦＲＰ（繊維強化プラスチック）の成形体を組み合わせて形成されており、底面部１０ａと、側面部１０ｂと、天井部１０ｃからなっている。底面部１０ａは、左右に長い略長円状の板部材で構成されており、上面にはスリップ防止処理（例えば、粗面を形成）が施されている。側面部１０ｂは、底面部１０ａの周縁部から内側に湾曲しながら上方に延びる曲面状に形成されており、下部側は垂直に近く、下方から上方に行くほど徐々に湾曲が大きくなって傾斜が緩やかになっている。このため、天井部１０ｃは底面部１０ａよりも少し狭くなっている。
【００２４】
側面部１０ｂの左側部分の前後の幅方向の中央には、底面が下方から上方に傾斜して延びる凹部１１が形成され、その凹部１１の底面に階段１１ａが形成されている。この階段１１ａの前後の幅方向の両側と中央には、それぞれ傾斜して左右に延びる手摺り１１ｂが互いに平行して設けられており、この３つの手摺り１１ｂによって、階段１１ａの通路が上り用と下り用に区分されている。
【００２５】
側面部１０ｂの前後の両長手側部分の中央には、それぞれ所定の幅（大人が通れる程度の幅）で下部から上方に向かって延び上端が半円形になった出入口１２が形成され、両出入口１２のそれぞれの左縁部にドア１２ａがヒンジ連結されている。このドア１２ａによって、出入口１２を開閉できる。出入口１２の周縁部とドア１２ａの外周部の間にはゴム製のシール部材（図示せず）が取り付けられており、このシール部材によって外部から施設本体１０内に水が浸入できなくなっている。このドア１２ａには、施設本体１０の外部と内部の双方で操作できるロック機構が備わっている。
【００２６】
また、側面部１０ｂの両長手側部分の上部には、出入口１２を挟んでそれぞれ３個の採光窓１３が左右に間隔を保って設けられている。各採光窓１３は、側面部１０ｂに左右よりも上下の方が少し長い長円状の窓穴を形成し、この窓穴に強化ガラスを嵌め込んで形成されており、窓穴の周縁部と強化ガラスの外周部との間はシール材によって液密的に密閉されている。この採光窓１３は、斜め上方を向いて設置されており、施設本体１０内に日光を採り込み易くなっている。なお、この採光窓１３は、施設本体１０の強度を考慮して許容できる範囲で追加することが好ましい。
【００２７】
天井部１０ｃは、前述したように、底面部１０ａよりも少し狭くなっており、天井部１０ｃにおける階段１１ａの上端と、階段１１ａと反対側の右端部との間の中央部分には、略矩形の凹部１４が形成されている。また、側面部１０ｂと天井部１０ｃの境界部上面における階段１１ａを除いた部分には、落下防止用の手摺り１５が設けられている。天井部１０ｃの上面における凹部１４の周縁部と手摺り１５の間は、人が歩くことのできる通路になっている。
【００２８】
児童用運動遊戯設備１６は、天井部１０ｃに形成された凹部１４を利用して設けられたプール１７と、側面部１０ｂの前後の長手側部分に設けられたボルタリング１８で構成されている。プール１７は、凹部１４の周縁部から上方に延びる周壁部１７ａを形成することにより構成され、内部に水１７ｂが満たされている。このプール１７は、左右の長手方向の長さが８ｍ、前後の幅方向の長さが４．５ｍ、深さが０．６８ｍに設定されている。ボルタリング１８は、側面部１０ｂに間隔を保って複数の突起１８ａを形成して構成されており、突起１８ａを手で持ったり突起１８ａに足を掛けたりしながら側面部１０ｂを昇降する運動に使用される。
【００２９】
収容室２０は、施設本体１０の内部に設けられており、施設本体１０の内部における左側に形成されて前後に延びた隔壁２１と右側に形成されて前後に延びた隔壁２２によって左右に仕切られている。隔壁２１，２２間は、広い座席スペース２３になっており、この座席スペース２３には複数の座席２３ａが並んで設置されている。各座席２３ａには、頭部クッションおよびシートベルト（図示せず）が備わっており、シートベルトは判別しやすい色に着色されている。また、各座席２３ａの下には、救命具、ロープ等の備品（図示せず）が保管されている。この座席２３ａは、児童Ｃと大人の職員Ｓ（図６−８参照）の計１６８人が座れる分備わっている。なお、幼稚園の平均児童数は１２５人で、平均職員数は１５人である。
【００３０】
隔壁２１の座席スペース２３側の面の前後方向の中央部分には、ロッカー２４が設置され、隔壁２１におけるロッカー２４の前後両側には、ドア２１ａ，２１ｂが設けられている。隔壁２１の左側のスペースには、バックヤード２５が設けられており、ドア２１ａ，２１ｂを開けることにより、座席スペース２３とバックヤード２５の間を行き来できる。ロッカー２４には、衣類、非常食、飲料水、医薬品、懐中電灯、ラジオなどが収納されている。
【００３１】
隔壁２２の前後両側の右側（裏面側）にはそれぞれトイレ２６ａ，２６ｂが設置され、隔壁２２の右側におけるトイレ２６ａ，２６ｂ間の中央部分には、バックヤード２５ａが設けられている。そして、隔壁２２におけるトイレ２６ａ，２６ｂに対応する部分には、ドア２２ａ，２２ｂがそれぞれ設けられ、隔壁２２におけるバックヤード２５ａに対応する部分の前後両側には、ドア２２ｃ，２２ｄがそれぞれ設けられている。ドア２２ａ，２２ｂを開けることにより、座席スペース２３とトイレ２６ａ，２６ｂの間を行き来でき、ドア２２ｃ，２２ｄを開けることにより、座席スペース２３とバックヤード２５ａの間を行き来できる。
【００３２】
なお、バックヤード２５，２５ａは、歩行用の通路として使用できる他、発電機、空調機などを設置するスペース、貯蔵庫、倉庫などとして使用される。また、天井部１０ｃの下面における所定部分には複数の電灯２７が設置され、収容室２０の壁面には時計（図示せず）が設置されている。
【００３３】
また、天井部１０ｃにおける凹部１４の四隅に対応する部分と底面部１０ａの間および天井部１０ｃと底面部１０ａの間の所定部分に、間隔を保って複数の柱２８が設けられており、天井部１０ｃおよびプール１７は、これらの柱２８によって支持されている。底面部１０ａの上面と天井部１０ｃの上面の間の長さは２ｍに設定され、底面部１０ａの上面と凹部１４の下面の間の長さは１．６ｍに設定されている。また、施設本体１０の左右方向の最大長さは１６．０ｍに設定され、前後方向の最大長さは８．０ｍに設定されている。そして、施設本体１０の外面はオレンジ色、赤色、青色、黄色など視認性の高い色が着色され、収容室２０内は明るい色が着色されている。
【００３４】
バラストタンク３０は、施設本体１０の底面部１０ａが天井部を構成するようにして施設本体１０の下方に形成されており、底面部３０ａと、側面部３０ｂと、隔離壁３０ｃからなっている。底面部３０ａは、底面部１０ａよりも少し小さく、左右に長い略長円状の板部材で構成されている。側面部３０ｂは、底面部３０ａの周縁部から外部側に傾斜して上方に延びる曲面状に形成されており、その上端部は、底面部１０ａの周縁部に接合されている。
【００３５】
隔離壁３０ｃは、プール１７の周縁部の下方に位置するようにして、底面部１０ａと底面部３０ａの間に形成された枠状の壁部で構成されており、バラストタンク３０内を中央部分と外周部分とに隔離している。このバラストタンク３０の高さは１ｍに設定されている。また、プール１７の底面からバラストタンク３０の内部に向かって排水管３１が延びており、この排水管３１の上端はプール１７内に連通し、排水管３１の下端はバラストタンク３０における隔離壁３０ｃ内に連通している。
【００３６】
また、図示および詳細な説明は省略するが、排水管３１には開閉弁が設けられている。そして、施設本体１０には、開閉弁を開閉作動させる駆動機構、および、駆動機構を作動させる開閉スイッチ、震度検出器、上下位置検出器などが設けられている。開閉弁は、開閉スイッチが手動操作されたとき、震度検出器が所定の震度を検出したとき、および、施設本体１０が地面から上昇したことを上下位置検出器が検出したとき、の少なくとも一つが生じたときに開く。また、開閉弁は、開閉スイッチが手動により逆操作されたときに閉じる。そして、開閉弁が開くとプール１７内の水１７ｂは、排水管３１を通過してバラストタンク３０の隔離壁３０ｃ内に流下する。
【００３７】
グランドＧにおける災害時避難施設Ａが設置される場所には、バラストタンク３０を収容できる設置用凹部３２が形成されている。この設置用凹部３２の底面３２ａおよび内周面３２ｂはコンクリート壁で構成されており、底面３２ａには、前後に延びる溝状の凹部３２ｃが左右に一定間隔を保って複数設けられている。また、底面３２ａの四隅には、Ｕ形の固定部材３３（図８参照）が両端部を底面３２ａ内に埋め込んだ状態で固定されている。
【００３８】
この設置用凹部３２は、左右の長手方向の長さおよび前後の幅方向の長さがそれぞれ施設本体１０の底面部１０ａと略同じに設定され、深さ（凹部３２ｃでない方の底面３２ａからグランドＧの上面までの高さ）が略１ｍに設定されている。そして、災害時避難施設Ａを設置用凹部３２に設置したときに、バラストタンク３０は隠れて見えなくなり、ドア１２ａは地面に当たることなく開閉できる状態になる。また、施設本体１０の外周部と、設置用凹部３２の開口周縁部の間は、殆ど隙間のない状態になる。
【００３９】
係留装置３４は、バラストタンク３０を介して施設本体１０を設置用凹部３２の底面３２ａに固定された固定部材３３に連結するものである。この係留装置３４は、図４（ａ）に示したように、ロープ３５と、複数本の弾性係留索３６と、ロープ３５と複数本の弾性係留索３６を連結する連結部材３７と、複数本の弾性係留索３６と固定部材３３を連結する連結部材３８で構成されている。ロープ３５は、複数の素線を撚り合わせて形成されたストランドを複数束ねて形成されたワイヤロープで構成されている。
【００４０】
弾性係留索３６は、図４（ｂ）に示したように、高弾性を備えた細長い円柱状のゴム芯３６ａの外周にアラミド繊維層３６ｂを形成し、さらにその外周に耐候性を備えたゴムからなる被覆層３６ｃを形成して構成されており、伸縮可能になっている。連結部材３７は、複数本の弾性係留索３６のそれぞれの端部（図８での上端部）に固定された一対の接続ブロック３７ａ、ロープ３５の端部（図８での下端部）に固定されたロープガイド３７ｂおよびロープガイド３７ｂに接続ブロック３７ａを固定するためのボルト３７ｃとナット３７ｄからなっている。
【００４１】
接続ブロック３７ａは、長さの短い四角棒状に形成されており、その弾性係留索３６が連結された部分と反対側の端部側には長手方向に直交するボルト挿通穴（図示せず）が形成されている。ロープガイド３７ｂは、互いのボルト挿通穴を連通させて組み合わされた一対の接続ブロック３７ａを設置できる断面コ字状の部分を備えており、コ字状の対向する片には、それぞれ接続ブロック３７ａのボルト挿通穴に連通できるボルト挿通穴が形成されている。ロープガイド３７ｂの一方の片のボルト挿通穴からボルト３７ｃを通し、そのボルト３７ｃを一対の接続ブロック３７ａのボルト挿通穴とロープガイド３７ｂの他方の片のボルト挿通穴に通したのちに、ボルト３７ｃの先端にナット３７ｄを螺合させて、一対の接続ブロック３７ａとロープガイド３７ｂは連結されている。
【００４２】
連結部材３８は、２本の弾性係留索３６のそれぞれの端部（図８での下端部）に固定された一対の接続ブロック３８ａ、シャックル３８ｂおよび一対の接続ブロック３８ａとシャックル３８ｂを連結するためのボルト３８ｃとナット３８ｄからなっている。接続ブロック３８ａは、前述した接続ブロック３７ａと同じ構成をしている。シャックル３８ｂは、互いのボルト挿通穴を連通させて組み合わされた一対の接続ブロック３８ａの両側を挟める略Ｕ字状に形成されており、Ｕ字状の対向する片には、それぞれ接続ブロック３８ａのボルト挿通穴に連通できるボルト挿通穴が形成されている
【００４３】
シャックル３８ｂの一方の片のボルト挿通穴からボルト３８ｃを通し、そのボルト３８ｃを一対の接続ブロック３８ａのボルト挿通穴とシャックル３８ｂの他方の片のボルト挿通穴に通したのちに、ボルト３８ｃの先端にナット３８ｄを螺合させて、一対の接続ブロック３７ａとシャックル３８ｂは連結されている。なお、一対の接続ブロック３７ａとシャックル３８ｂを連結する前に、シャックル３８ｂは固定部材３３に引っ掛けられる。このため、２本の弾性係留索３６は連結部材３８および固定部材３３を介して、設置用凹部３２の底面３２ａに連結される。
【００４４】
このように構成された係留装置３４は、底面３２ａの四隅に設けられたそれぞれの固定部材３３に取り付けられている。また、各ロープ３５における２本の弾性係留索３６に連結された端部と反対側の端部は、バラストタンク３０の底面部３０ａの四隅のいずれかに連結されている。なお、図示は省略しているが、底面部３０ａの四隅には、固定部材３３と同様の固定部材が取り付けられ、ロープ３５の端部には連結部材が固定されている。そして、連結部材を固定部材に係合させることによってロープ３５は底面部３０ａに連結されている。
【００４５】
この場合、４つの係留装置３４は互いに交差するように設置される。すなわち、連結部材３８が底面３２ａの前方左に位置する固定部材３３に連結された係留装置３４のロープ３５の端部は底面部３０ａの後方右の角に固定され、連結部材３８が底面３２ａの前方右に位置する固定部材３３に連結された係留装置３４のロープ３５の端部は底面部３０ａの後方左の角に固定される。そして、連結部材３８が底面３２ａの後方左に位置する固定部材３３に連結された係留装置３４のロープ３５の端部は底面部３０ａの前方右の角に固定され、連結部材３８が底面３２ａの後方右に位置する固定部材３３に連結された係留装置３４のロープ３５の端部は底面部３０ａの前方左の角に固定される。
【００４６】
なお、前述した溝状の凹部３２ｃには左右に連通する部分も含まれており、各係留装置３４は、凹部３２ｃ内に収容されている。また、災害時避難施設Ａのうち係留装置３４を除いた部分は、一体となって水面に浮くことのできる浮体になっている。
【００４７】
この構成において、災害時避難施設Ａで児童Ｃが運動したり遊戯したりする場合には、図５に示したように、プール１７内で水泳をしたり、ボルタリング１８を用いて、側面部１０ｂを昇降したりできる。そして、災害、例えば、地震が発生した場合には、職員Ｓは、施設本体１０のドア１２ａを開けて児童Ｃとともに収容室２０に避難する。全児童Ｃおよび職員Ｓが収容室２０内に入ると、職員Ｓは、ドア１２ａを閉じてロックするとともに、図６に示したように、各児童Ｃを座席２３ａに座らせてシートベルトを掛けさせる。また、必要に応じて、開閉スイッチを操作して、図７に示したように、プール１７内の水１７ｂをバラストタンク３０の隔離壁３０ｃ内に流下させる。このとき、震度が所定値以上であれば、開閉スイッチを操作しなくても、所定の時間経過後に開閉弁が開いてプール１７内の水１７ｂはバラストタンク３０の隔離壁３０ｃ内に流下する。
【００４８】
さらに、地震の後に、津波が発生してグランドＧに海水が溢れた場合には、図８に示したように、施設本体１０およびバラストタンク３０等からなる浮体は設置用凹部３２から離れて水面ＷＬに浮く。このとき、開閉スイッチの操作がされてなく、震度も所定値以下で、プール１７内に水１７ｂが溜まったままの状態であっても、施設本体１０が上昇したことを上下位置検出器が検出して開閉弁が開き、プール１７内の水１７ｂはバラストタンク３０の隔離壁３０ｃ内に流下する。これによって、重心が低くなるとともに中央部分になって、施設本体１０は安定した状態に維持される。
【００４９】
また、このとき、複数の係留装置３４は、互いに交差した状態で伸長している。なお、図８では、係留装置３４は２つだけ示している。このため、水流によって、施設本体１０が左右、前後のいずれの方向に流されようとした場合でも、いずれかの係留装置３４がその流れの方向への移動を阻止して、施設本体１０が流されることを防止する。その間、児童Ｃおよび職員Ｓは、収容室２０内に待機して、津波が鎮まるのを待つことができる。収容室２０内は、電灯２７の発光および採光窓１３から入射される光によって明るくなっているため、児童Ｃおよび職員Ｓの不安は軽減される。また、採光窓１３から見える外部の様子やラジオ放送から外部の情報を得ることもできる。
【００５０】
さらに、被災状態が長時間にわたった場合でも、収容室２０内には、非常食、飲料水および医薬品などが保管されている他、トイレ２６ａ，２６ｂなどの設備も備わっているため、支障なく救助や災害の鎮静化を待つことができる。この場合、バラストタンク３０内の水１７ｂを、トイレ２６ａ，２６ｂでの水洗用の水として利用することができる。なお、係留装置３４は、最大の水面高さを考慮して長さが設定されており、このため想定されるすべての津波に対応できる。また、本実施形態に係る災害時避難施設Ａは、災害が、堤防決壊による洪水であっても津波のときと同様に、避難施設として利用できる。
【００５１】
以上のように、本実施形態に係る災害時避難施設Ａでは、施設本体１０の天井部１０ｃにプール１７を設け、側面部１０ｂにボルタリング１８を設けているとともに、施設本体１０の内部に収容室２０を設けている。このため、通常は、災害時避難施設Ａの外面を、児童Ｃが泳いだり、昇降運動をしたりする設備として使用できる。そして、被災時には、収容室２０を、児童Ｃおよび職員Ｓ等が避難する場所として利用できる。このように、災害時避難施設Ａは、日常的に使用される児童用運動施設を災害時に避難施設として利用するものであるため、別途避難施設を設ける必要はない。また、災害時避難施設Ａは、幼稚園のグランドＧに設置されているため、災害時には、短時間のうちに、児童Ｃおよび職員Ｓ等は避難することができる。
【００５２】
そして、災害が、津波、堤防やダムの決壊などによる水害である場合には、施設本体１０等の浮体は、水面ＷＬに浮遊するため、施設本体１０が水圧で押し潰されたり、水流で破壊されたりすることがなくなり、避難者の安全が確保される。さらに、施設本体１０の底面下方にバラストタンク３０が形成され、地震や水害の際には、プール１７の水１７ｂがバラストタンク３０内に流下するため、施設本体１０の重心が中央部分の低い場所になって安定性が増すようになる。
【００５３】
また、グランドＧに設置用凹部３２が形成され、この設置用凹部３２にバラストタンク３０を収容させて施設本体１０がグランドＧに設置されているため、施設本体１０の全体の高さが１ｍ低くなる。これによって、施設本体１０の高さが高くなって、グランドＧにいる児童Ｃに圧迫感を生じさせたり、プール１７で水泳する児童Ｃに恐怖感を生じさせたりすることを防止できる。また、バラストタンク３０が見えることによって災害時避難施設Ａの美観を損ねることも防止できる。さらに、施設本体１０の位置が低くなるため、収容室２０への出入りが容易になる。
【００５４】
また、本実施形態では、施設本体１０の底面に設けられたバラストタンク３０が互いに交差する４つの係留装置３４によって設置用凹部３２の底面３２ａに連結されている。このため、水害により施設本体１０等の浮体が地盤から離脱したときに、施設本体１０等の浮体は、一定の位置に保持された状態で水面ＷＬに浮遊できる。その際、水面ＷＬの高さが高くなっても、係留装置３４が伸縮可能であるため、施設本体１０等の浮体は水面ＷＬに浮遊できる。さらに、施設本体１０が繊維強化プラスチックで形成されているため、施設本体１０を軽量で、高強度を有する構造に形成することができる。
【００５５】
（変形例）
図９は、前述した実施形態の変形例に係る災害時避難施設Ａ’が水面ＷＬに浮遊した状態を示している。この災害時避難施設Ａ’では、災害時避難施設Ａのように４つの係留装置３４のすべてを互いに交差させるのではなく、２つの係留装置４４を互いに交差させて右側に設置するとともに、他の２つの係留装置３４を互いに交差させて左側に設置している。災害時避難施設Ａ’のそれ以外の部分の構成は、災害時避難施設Ａと同一である。したがって、同一部分に同一符号を記して説明は省略する。
【００５６】
この災害時避難施設Ａ’によると、係留装置４４の長さを前述した係留装置３４よりも少し短くすることができる。すなわち、各係留装置４４は設置用凹部３２の底面３２ａの所定の角とその角から最も離れたバラストタンク３０の角を連結するのではなく、右側に設置される係留装置４４どうし、および、左側に設置される係留装置４４どうしをそれぞれ交差させるため短くて済む。この災害時避難施設Ａ’のそれ以外の作用効果は、前述した災害時避難施設Ａと同様である。
【００５７】
（第２実施形態）
図１０は、本発明の第２実施形態に係る災害時避難施設Ｂの要部の概略を示している。この災害時避難施設Ｂでは、施設本体５０の天井部５０ｃに、砂場５７が設けられ、側面部５０ｂの前後の外面には、上端が天井部５０ｃと側面部５０ｂの境界部に固定されたロープ（図示せず）が垂れ下げられている。この砂場５７と垂れ下げられたロープで児童用運動遊戯設備が構成される。砂場５７は、天井部５０ｃに形成された深さの浅い略矩形の凹部５７ａに砂５７ｂを収容して構成されている。
【００５８】
また、砂場５７の底面からは、収容室５１を通過してバラストタンク５２の内部に向う２本の排出管５３が延びており、この排出管５３の上端は凹部５７ａ内に連通し、排出管５３の下端はバラストタンク５２内に連通している。２本の排出管５３は、砂場５７の前後方向の中央部分で左右に間隔を保って設置されており、これによって、砂場５７の砂５７ｂをバラストタンク５２内に流下させる際に、前後、左右で重量が偏らないようになっている。なお、バラストタンク５２内における凹部５７ａの周壁部の下方の位置には平面視が矩形の隔離壁５２ａが形成されており、砂場５７の砂５７ｂは２本の排出管５３内を流下して隔離壁５２ａで囲まれた部分に収容される。この災害時避難施設Ｂのそれ以外の部分の構成は、災害時避難施設Ａと同一である。したがって、同一部分に同一符号を記して説明は省略する
【００５９】
本実施形態に係る災害時避難施設Ｂによると、児童Ｃは、砂場５７で砂遊びをしたり、ロープを用いて、側面部５０ｂを昇降したりできる。そして、被災時には、前述した実施形態と同様、収容室５１に避難することができる。この災害時避難施設Ｂのそれ以外の作用効果は、前述した災害時避難施設Ａと同様である。
【００６０】
また、本発明に係る災害時避難施設は、前述した各実施形態に限らず、本発明の技術的範囲内で適宜変更実施が可能である。例えば、前述した各実施形態では、出入口１２を側面部１０ｂ，５０ｂに設けているが、出入口は天井部１０ｃ，５０ｃに設けてもよい。これによると、園舎の窓や避難口から直接、収容室２０，５１内に入ることができるため、素早い避難が可能になる。また、前述した各実施形態では、児童用運動遊戯設備を、プール１７、ボルタリング１８、砂場５７およびロープとしているが、児童用運動遊戯設備としては、これに限らず、滑り台、鉄棒など、通常、幼稚園や小学校に備わっているものであればどのような設備であってもよい。
【００６１】
そして、天井部１０ｃ，５０ｃに、プール１７や砂場５７のように流下可能物を用いる設備以外の設備を設けた場合には、バラストタンク３０，５２内に、常時、水、土、砂などを収納しておくこともできる。また、バラストタンク３０，５２を省略することもできる。さらに、施設本体１０，５０の高さが高い方が好ましい場合は、設置用凹部３２は設けなくてもよい。また、係留装置３４，４４としては、弾性の備わっていないものを用いてもよいし、その数は４つに限らず、複数であればいくつでもよい。さらに、係留装置３４，４４の端部は地盤ではなく重りに連結してもよい。
【符号の説明】
【００６２】
１０，５０…施設本体、１０ａ…底面部、１０ｂ，５０ｂ…側面部、１０ｃ，５０ｃ…天井部、１４，５７ａ…凹部、１６…児童用運動遊戯設備、１７…プール、１７ｂ…水、１８…ボルタリング、２０，５１…収容室、３０，５２…バラストタンク、３１…排水管、３２…設置用凹部、３４，４４…係留装置、５３…排出管、５７…砂場、５７ｂ…砂、Ａ，Ａ’，Ｂ…災害時避難施設、Ｇ…グランド、ＷＬ…水面。
【図１】
2015214299.tif 000003
【図２】
2015214299.tif 000004
【図３】
2015214299.tif 000005
【図４】
2015214299.tif 000006
【図５】
2015214299.tif 000007
【図６】
2015214299.tif 000008
【図７】
2015214299.tif 000009
【図８】
2015214299.tif 000010
【図９】
2015214299.tif 000011
【図１０】
2015214299.tif 000012
【図１１】
2015214299.tif 000013